(57)【特許請求の範囲】
【請求項１】
複数のニットピースで構成されるニットウェアであって、前記ニットピースとして、正三角形を三等分したカイト形の特定パターンに編まれる同じ大きさの複数のモチーフピースを備えていることを特徴とするニットウェア。
【請求項２】
複数のニットピースで構成されるニットウェアであって、前記ニットピースとして、所定の挟角をなす二等辺と、該二等辺にそれぞれ直交する二つの底辺と、これらの底辺の間の中央部に位置する山形ないし逆Ｖ字形のノッチを有する左右対称形の特定パターンに編まれる同じ大きさの複数のモチーフピースを備えていることを特徴とするニットウェア。
【請求項３】
前記複数のモチーフピースが筒状につながれることを特徴とする請求項１または２に記載のニットウェア。
【発明の詳細な説明】
【技術分野】
【０００１】
本発明は、複数のニットピースで構成されるニットウェアに関するものである。
【背景技術】
【０００２】
ニットウェアとして、前身頃、後身頃および２つの袖のパターンにそれぞれ編まれた４つのニットピースを相互につなぎ合わせて構成されるニットウェアが従来一般に知られている（例えば特許文献１参照）。
【０００３】
また、任意のパターンにそれぞれ編まれた複数のニットピースを相互につなぎ合わせて構成されるパッチワークニットウェアも従来一般に知られている（例えば非特許文献１、２参照）。
【０００４】
ここで、「ニットピース」とは、任意のニット糸で所定のパターンや任意のパターンに編まれたニット地を意味するものとし、同じ大きさの同一形状の特定パターンに編まれた「モチーフピース」を含むものとする。
【先行技術文献】
【特許文献】
【０００５】
【特許文献１】特開２００２−２４９９０２号公報
【非特許文献】
【０００６】
【非特許文献１】http://item.rakuten.co.jp/eiho/junko/
【非特許文献２】http://www.asian-toybox.com/tyuni/1450/
【発明の概要】
【発明が解決しようとする課題】
【０００７】
ところで、特許文献１に記載されたニットウェアは、前身頃、後身頃および２つの袖のパターンにそれぞれ編まれた４つのニットピースで構成されるため、デザインが画一的であって個性に欠けるという問題がある。
【０００８】
一方、非特許文献１または２に記載のパッチワークニットウェアにおいては、デザインの自由度があって個性的ではあるものの、パターンの異なる多種類のニットピースが必要であるため、量産性に欠けるという問題がある。
【０００９】
本発明は、このような従来技術の問題点に対応してなされたものであり、量産性があり、かつ、デザインの個性化に十分対応可能なニットウェアを提供することを課題とする。
【課題を解決するための手段】
【００１０】
このような課題を解決するため、第１の発明に係るニットウェアは、複数のニットピースで構成されるニットウェアであって、ニットピースとして、正三角形を三等分したカイト形の特定パターンに編まれる同じ大きさの複数のモチーフピースを備えていることを特徴とする。また、この発明のニットウェアは、複数のモチーフピースが筒状につながれることを特徴とする。
【００１１】
第１の発明に係るニットウェアは、特定パターンに編まれる複数のモチーフピースをニットピースとして備えており、各モチーフピースが同じ大きさの同一形状であるため、量産性がある。しかも、各モチーフピースが正三角形を三等分したカイト形の特定パターンに編まれるため、デザインが格別に個性的となる。そして、各モチーフピースが素材、色柄、編み方などの選択性に十分対応可能であるため、デザインの個性化に十分対応可能である。
【００１２】
第２の発明に係るニットウェアは、複数のニットピースで構成されるニットウェアであって、ニットピースとして、所定の挟角をなす二等辺と、該二等辺にそれぞれ直交する二つの底辺と、これらの底辺の間の中央部に位置する山形ないし逆Ｖ字形のノッチを有する左右対称形の特定パターンに編まれる同じ大きさの複数のモチーフピースを備えていることを特徴とする。また、この発明のニットウェアは、複数のモチーフピースが筒状につながれることを特徴とする。
【００１３】
第２の発明に係るニットウェアは、特定パターンに編まれる複数のモチーフピースをニットピースとして備えており、各モチーフピースが同じ大きさの同一形状であるため、量産性がある。しかも、各モチーフピースが所定の挟角をなす二等辺を有する左右対称形の特定パターンに編まれるため、デザインが格別に個性的となる。そして、各モチーフピースが素材、色柄、編み方などの選択性に十分対応可能であるため、デザインの個性化に十分対応可能である。
【発明の効果】
【００１４】
第１の発明に係るニットウェアは、特定パターンに編まれる複数のモチーフピースをニットピースとして備えており、各モチーフピースが同じ大きさの同一形状であるため、量産性がある。しかも、各モチーフピースが正三角形を三等分したカイト形の特定パターンに編まれるため、デザインが格別に個性的となる。そして、各モチーフピースが素材、色柄、編み方などの選択性に十分対応可能であるため、デザインの個性化に十分対応可能である。
【００１５】
従って、第１の発明に係るニットウェアは、量産性およびデザインの個性化に十分対応することができる。
【００１６】
また、第２の発明に係るニットウェアは、特定パターンに編まれる複数のモチーフピースをニットピースとして備えており、各モチーフピースが同じ大きさの同一形状であるため、量産性がある。しかも、各モチーフピースが所定の挟角をなす二等辺を有する左右対称形の特定パターンに編まれるため、デザインが格別に個性的となる。そして、各モチーフピースが素材、色柄、編み方などの選択性に十分対応可能であるため、デザインの個性化に十分対応可能である。
【００１７】
従って、第２の発明に係るニットウェアは、量産性およびデザインの個性化に十分対応することができる。
【図面の簡単な説明】
【００１８】
【図１】本発明の第１実施形態に係るニットウェアの正面図である。
【図２】図１に示したニットウェアの展開図である。
【図３】図２に展開して示したニットウェアを各ニットピースに分解して示す分解展開図である。
【図４】図２および図３に示したモチーフピースの特定パターンである正三角形を三等分したカイト形の特定パターンを示す平面図である。
【図５】第１実施形態に係るニットウェアの変形例を示す図１に対応した正面図である。
【図６】図５に示したニットウェアの展開図である。
【図７】本発明の第２実施形態に係るニットウェアの正面図である。
【図８】図７に示したニットウェアの展開図である。
【図９】第２実施形態に係るニットウェアの変形例を示す図７に対応した正面図である。
【図１０】本発明の第３実施形態に係るニットウェアの正面図である。
【図１１】図１０に示したニットウェアの展開図である。
【図１２】図１１に展開して示したニットウェアを各ニットピースに分解して示す分解展開図である。
【図１３】図１１および図１２に示したモチーフピースの特定パターンを示す平面図であり、（ａ）は正三角形を三等分する３つのモチーフピースを示し、（ｂ）は正三角形を三等分したカイト形の１つのモチーフピースを示す。
【図１４】第３実施形態に係るニットウェアの変形例を示す図１０に対応した正面図である。
【図１５】本発明の第４実施形態に係るニットウェアの正面図である。
【図１６】図１４に示したニットウェアの展開図である。
【図１７】図１５に展開して示したニットウェアを各ニットピースに分解して示す分解展開図である。
【図１８】図１６に示したモチーフピースの形状を示す平面図である。
【図１９】図１５および図１６に示した隣合うモチーフピースが編みつながれた変形例を示す平面図である。
【発明を実施するための形態】
【００１９】
以下、添付の図面を参照して本発明に係るニットウェアの第１実施形態〜第４実施形態を順次説明する。まず、図１〜図４を参照して第１実施形態に係るニットウェアを説明する。
＜第１実施形態＞
【００２０】
図１に示すように、第１実施形態に係るニットウェア１０は、襟ぐり１１および袖口１２Ａ，１２Ｂが開口したベストとして構成されている。このニットウェア１０は、図２および図３に展開して示すように、前身頃の前立て部分の両側を構成する４つのニットピース１３Ａ〜１３Ｄと、前身頃の残りの部分を構成する４つのモチーフピース１４Ａ〜１４Ｄと、後身頃を構成する６つのモチーフピース１４Ｅ〜１４Ｊと、両側の裾部分を構成するモチーフピース１４Ｋ，１４Ｌとを備えて構成されている。
【００２１】
４つのニットピース１３Ａ〜１３Ｄおよび合計１２ピースのモチーフピース１４Ａ〜１４Ｌは、ウール、カシミヤ、アンゴラ、シルク、コットン等の任意のニット糸を編んでニット地としたものである。ニット糸は、濃色系の適宜の色と濃淡色系の適宜の色に着色されたものであり、その太さは、極太、並太、中細、極細から適宜選択される。また、ニット地の編み方は、種々の編み方から任意に選択される。
【００２２】
ここで、モチーフピース１４Ａ〜１４Ｌは、同じ大きさの同一形状の特定パターンに編まれている。例えばモチーフピース１４Ｆ，１４Ｉ，１４Ｋ，１４Ｌは、図４に拡大して示すように、正三角形を３等分した同じ大きさの同一形状の特定パターン、すなわち、カイト（西洋凧）形の特定パターンに編まれている。他のモチーフピース１４Ａ〜１４Ｄ，１４Ｅ，１４Ｇ，１４Ｈ，１４Ｊは、同様のカイト（西洋凧）形を上下逆向きに配置した特定パターンに編まれている（図３参照）。
【００２３】
一方、４つのニットピース１３Ａ〜１３Ｄは、例えば図４に示したモチーフピース１４Ｆを縦方向に２等分した直角三角形に編まれている。すなわち、ニットピース１３Ａ，１３Ｂは、モチーフピース１４Ｆを縦方向に２等分した左側の直角三角形に編まれており、ニットピース１３Ｃ，１３Ｄは、モチーフピース１４Ｆを縦方向に２等分した右側の直角三角形に編まれている。
【００２４】
ここで、逆向きカイト形のモチーフピース１４Ｆ，１４Ｉ，１４Ｋ，１４Ｌは、例えば縦方向に２等分した左側の直角三角形の部分が濃色系の色に、右側の直角三角形の部分が淡色系の色に、それぞれ色分けされている。また、カイト形のモチーフピース１４Ａ〜１４Ｄ，１４Ｅ，１４Ｇ，１４Ｈ，１４Ｊも、縦方向に２等分した左側の直角三角形の部分が濃色系の色に、右側の直角三角形の部分が淡色系の色に、それぞれ色分けされている。そして、ニットピース１３Ａ，１３Ｂはモチーフピース１４Ｆの左側と同様の濃色系の色とされ、ニットピース１３Ｃ，１３Ｄはモチーフピース１４Ｆの右側と同様の淡色系の色とされている。
【００２５】
これらのモチーフピース１４Ａ〜１４Ｌおよびニットピース１３Ａ〜１３Ｄは、図２に展開して示したように、濃色系の部分と淡色系の部分とが交互に位置するように相互に縫いつながれている。そして、左前身頃を構成するニットピース１３Ｃ，１３Ｄの前立て付近に例えば６つのボタンＢが縫い止められ、右前身頃を構成するニットピース１３Ａ，１３Ｂの前立て付近に６つのボタン掛けループ（図示省略）が縫い止められることで、図１に示したようなベストが構成されている。
【００２６】
以上のようにベストとして構成された第１実施形態のニットウェア１０は、右前身頃を構成するニットピース１３Ａ，１３Ｂの前立て付近に縫い止められた６つのボタン掛けループ（図示省略）に、左前身頃を構成するニットピース１３Ｃ，１３Ｄの前立て付近に縫い止められた６つのボタンＢがそれぞれ掛け止められることで、図１に示すようなベストとして着用される。
【００２７】
このような第１実施形態のニットウェア１０は、特定パターンに編まれた複数のモチーフピース１４Ａ〜１４Ｌをニットピースとして備えており、これらのモチーフピース１４Ａ〜１４Ｌが同じ大きさの同一形状であるため、量産性がある。
【００２８】
しかも、各モチーフピース１４Ａ〜１４Ｌが正三角形を三等分した同じ大きさのカイト（西洋凧）形の特定パターンに編まれているため、デザインが格別に個性的となる。
【００２９】
そして、各モチーフピース１４Ａ〜１４Ｌが素材、色柄、編み方などの選択性に十分対応可能であるため、デザインの個性化に十分対応可能である。従って、第１実施形態のニットウェア１０は、量産化およびデザインの個性化に十分対応することができる。
＜第１実施形態の変形例＞
【００３０】
図１に示した第１実施形態のニットウェア１０は、図５および図６に示すように、台形状のパターンに編まれた立襟用のニットピース１１Ａ〜１１Ｄが襟ぐり１１に縫い繋がれた襟付きベストとして構成することができる。この場合、ニットピース１１Ａ〜１１Ｄは、濃色部分と淡色部分とが交互に連続するように配置される。
＜第２実施形態＞
【００３１】
つぎに、図７〜図８を参照して第２実施形態に係るニットウェアを説明する。図７に示すように、第２実施形態に係るニットウェア２０は、第１実施形態のニットウェア１０の袖口１２Ａ，１２Ｂに袖が縫い繋がれた袖付きカーディガンとして構成されている。
【００３２】
このニットウェア２０は、図８に展開して示すように、前身頃の前立て部分の両側を構成する４つのニットピース２３Ａ〜２３Ｄと、前身頃の残りの部分を構成する４つのモチーフピース２４Ａ〜２４Ｄと、後身頃を構成する６つのモチーフピース２４Ｅ〜２４Ｊと、右側の裾部分を構成する前後２つのニットピース２３Ｅ，２３Ｆと、左側の裾部分を構成する前後２つのニットピース２３Ｇ，２３Ｈとを備えている。
【００３３】
さらに、ニットウェア２０は、右脇を構成する前後２つのモチーフピース２４Ｋ，２４Ｌと左脇を構成する前後２つのモチーフピース２４Ｍ，２４Ｎと、右袖を構成する前後２つのモチーフピース２４Ｏ，２４Ｐと、左袖を構成する前後２つのモチーフピース２４Ｑ，２４Ｒと、右袖口の下側を構成する前後２つのニットピース２３Ｉ，２３Ｊと、左袖口の下側を構成する前後２つのニットピース２３Ｋ，２３Ｌと、右袖口の上側を構成する１つのニットピース２３Ｍと、左袖口の上側を構成する１つのニットピース２３Ｎとを備えている。そして、これらのモチーフピース２４Ａ〜２４Ｒ、ニットピース２３Ａ〜２３Ｈ、ニットピース２３Ｉ〜２３Ｌおよびニットピース２３Ｍ，２３Ｎにより、ニットウェア２０が構成されている。
【００３４】
モチーフピース２４Ａ〜２４Ｒ、ニットピース２３Ａ〜２３Ｈ、ニットピース２３Ｉ〜２３Ｌおよびニットピース２３Ｍ，２３Ｎは、前述した第１実施形態と同様に、任意の太さのニット糸を種々の編み方で編んでニット地としたものであり、ニット糸は、濃色系の適宜の色と濃淡色系の適宜の色に着色されている。
【００３５】
モチーフピース２４Ａ〜２４Ｒは、第１実施形態のモチーフピース１４Ａ〜１４Ｌと同様に、正三角形を３等分した同じ大きさのカイト（西洋凧）形の特定パターンに編まれており、縦方向に２等分した左側の直角三角形の部分と右側の直角三角形の部分とが濃色系の色と淡色系の色とにそれぞれ色分けされている。また、ニットピース２３Ａ〜２３Ｈは、例えばモチーフピース２４Ａを縦方向に２等分した直角三角形に編まれており、それぞれ濃色系の色と淡色系の色とに色分けされている。
【００３６】
ニットピース２３Ｍ，２３Ｎは、例えばモチーフピース２４Ａを縮小した相似形のカイト形にそれぞれ編まれており、濃色系の色と淡色系の色とに色分けされている。また、ニットピース２３Ｉ，２３Ｊは、ニットピース２３Ｍの長辺に連続する斜辺を有する台形に編まれており、濃色系の色と淡色系の色とに色分けされている。同様に、ニットピース２３Ｋ，２３Ｌは、ニットピース２３Ｎの長辺に連続する斜辺を有する台形に編まれており、濃色系の色と淡色系の色とに色分けされている。
【００３７】
これらのモチーフピース２４Ａ〜２４Ｒ、ニットピース２３Ａ〜２３Ｈ、ニットピース２３Ｉ〜２３Ｌおよびニットピース２３Ｍ，２３Ｎは、図８に展開して示したように、濃色系の部分と淡色系の部分とが交互に位置するように相互に縫いつながれている。そして、左前身頃を構成するニットピース２３Ｃ，２３Ｄの前立て付近に例えば６つのボタンＢが縫い止められ、右前身頃を構成するニットピース２３Ａ，２３Ｂの前立て付近に６つのボタン掛けループ（図示省略）が縫い止められることで、図７に示したような袖付きカーディガンが構成されている。
【００３８】
以上のように袖付きカーディガンとして構成された第２実施形態のニットウェア２０は、同じ大きさの同一形状の特定パターンに編まれた複数のモチーフピース２４Ａ〜２４Ｒをニットピースとして備えているため、量産性がある。しかも、各モチーフピース２４Ａ〜２４Ｒが正三角形を三等分したカイト（西洋凧）形の特定パターンに編まれているため、デザインが格別に個性的となる。
【００３９】
そして、各モチーフピース２４Ａ〜２４Ｒが素材、色柄、編み方などの選択性に十分対応可能であるため、デザインの個性化に十分対応可能である。従って、第２実施形態のニットウェア２０は、量産化およびデザインの個性化に十分対応することができる。
＜第２実施形態の変形例＞
【００４０】
図７に示した第２実施形態のニットウェア２０は、図５に示した襟付きカーディガンと同様の襟付きカーディガンとして構成することができる。すなわち、図９に示すように、台形状のパターンに編まれた立襟用のニットピース２１Ａ，２１Ｂが襟ぐり２１に縫い繋がれたカーディガンとして構成することができる。この場合、ニットピース２１Ａ，２１Ｂは、濃色部分と淡色部分とが交互に連続するように配置される。
＜第３実施形態＞
【００４１】
続いて、図１０〜図１３を参照して第３実施形態に係るニットウェアを説明する。図１０に示すように、第３実施形態に係るニットウェア３０は、襟ぐり３１および袖口３２Ａ，３２Ｂが開口したベストとして構成されている。このニットウェア３０は、図１１および図１２に展開して示すように、襟ぐり３１を構成する左右のニットピース３１Ａ，３１Ｂと、その両側の前肩部分を構成する左右のニットピース３３，３４と、前身頃および後身頃の両脇の裾部分を構成するニットピース３５，３６と、残りの前身頃および後身頃を構成する１０ピースのモチーフピース３７Ａ〜３７Ｊとを備えて構成されている。
【００４２】
ニットピース３１Ａ，３１Ｂ、ニットピース３３，３４、ニットピース３５，３６およびモチーフピース３７Ａ〜３７Ｊは、ウール、カシミヤ、アンゴラ、シルク、コットン等の任意のニット糸を編んでニット地としたものである。ニット糸は、無着色あるいは任意の色に着色されたものであり、その太さは、極太、並太、中細、極細から適宜選択される。また、ニット地の編み方は、種々の編み方から任意に選択される。
【００４３】
ここで、モチーフピース３７Ａ〜３７Ｊは、同じ大きさの同一形状の特定パターンに編まれている。例えば前身頃および後身頃の右脇部分を構成するモチーフピース３７Ａ〜３７Ｃは、図１３の（ａ）に拡大して示すように、正三角形を三等分した同じ大きさの同一形状の特定パターンに編まれている。すなわち、図１３の（ｂ）に示すようなカイト（西洋凧）形の特定パターンに編まれている。同様に、前身頃および後身頃の左脇部分を構成するモチーフピース３７Ｄ〜３７Ｆも正三角形を三等分した同じ大きさのカイト形の特定パターンに編まれている。
【００４４】
また、後身頃を構成するモチーフピース３７Ｇ〜３７Ｉは、逆向きの正三角形を三等分した同じ大きさのカイト形の特定パターンに編まれている。そして、襟ぐり３１の下方の胸部分を構成するモチーフピース３７Ｊも後身頃を構成するモチーフピース３７Ｇと同じ向きの同じ大きさのカイト形の特定パターンに編まれている。
【００４５】
ここで、図１１および図１２に示すように、モチーフピース３７Ａには、右袖口３２Ａがスリット状に形成されている。同様に、モチーフピース３７Ｄには、左袖口３２Ｂがスリット状に形成されている。
【００４６】
前肩部分を構成する左右のニットピース３３，３４は、図１２に示すように、後身頃を構成するモチーフピース３７Ｈ，３７Ｉと同様のカイト形から両者の対向部分にホームベース形のネックホールを形成するようにそれぞれ左右対称に切り欠いた異形のパターンに編まれている。
【００４７】
襟ぐり３１を構成する左右のニットピース３１Ａ，３１Ｂは、前肩部分を構成する左右のニットピース３３，３４の切欠き部分に架け渡される逆台形状のパターンに編まれており、このニットピース３１Ａ，３１Ｂにより、浅いＶ字形の襟ぐり３１が形成されている。
【００４８】
前身頃および後身頃の右脇を構成するニットピース３５は、モチーフピース３７Ａ〜３７Ｃで構成される正三角形の底辺に対応した長さの長辺を有する横長の長方形のパターンに編まれている。同様に、前身頃および後身頃の左脇を構成するニットピース３６は、モチーフピース３７Ｄ〜３７Ｆで構成される正三角形の底辺に対応した長さの長辺を有する横長の長方形のパターンに編まれている。
【００４９】
これらのニットピース３１Ａ，３１Ｂ、ニットピース３３，３４、ニットピース３５，３６およびモチーフピース３７Ａ〜３７Ｊは、縫いつなぎにより相互につながれている（図１１参照）。そして、前身頃および後身頃の右脇部分を構成するモチーフピース３７Ａ，３７Ｂと、後身頃を構成するモチーフピース３７Ｉ，３７Ｇとが相互に筒状につながれ、また、前身頃および後身頃の右脇を構成するニットピース３５の短辺と、前身頃および後身頃の左脇を構成するニットピース３６の短辺とが相互に筒状に縫いつながれることにより、図１０に示すようなベストが構成されている。
【００５０】
以上のようにベストとして構成された第３実施形態のニットウェア３０は、特定パターンに編まれる複数のモチーフピース３７Ａ〜３７Ｊをニットピースとして備えており、これらのモチーフピース３７Ａ〜３７Ｊが同じ大きさの同一形状であるため、量産性がある。
【００５１】
しかも、各モチーフピース３７Ａ〜３７Ｊが正三角形を三等分した同じ大きさのカイト（西洋凧）形の特定パターンに編まれているため、デザインが格別に個性的となる。
【００５２】
そして、各モチーフピース３７Ａ〜３７Ｊが素材、色柄、編み方などの選択性に十分対応可能であるため、デザインの個性化に十分対応可能である。従って、第１実施形態のニットウェア３０は、量産化およびデザインの個性化に十分対応することができる。
＜第３実施形態の変形例＞
【００５３】
図１０に示した第３実施形態のニットウェア３０は、図１４に示すように、太線で示すラインから切り離してボタン止めによる前あきのベストとして構成してもよい。
＜第４実施形態＞
【００５４】
つぎに、図１５〜図１８を参照して第４実施形態に係るニットウェアを説明する。図１５に示すように、第４実施形態に係るニットウェア４０は、襟ぐり４１および袖口４２Ａ，４２Ｂが開口したベストとして構成されている。
【００５５】
このニットウェア４０は、図１６および図１７に展開して示すように、前身頃を構成するモチーフピース４３Ａ，４３Ｂと、後身頃を構成するモチーフピース４３Ｃ，４３Ｄと、袖口４２Ａがスリット状に形成されるモチーフピース４３Ｅと、袖口４２Ｂがスリット状に形成されるモチーフピース４３Ｆとからなる６ピースのモチーフピース４３Ａ〜４３Ｆを備えて構成されている。
【００５６】
モチーフピース４３Ａ〜４３Ｆは、ウール、カシミヤ、アンゴラ、シルク、コットン等の任意のニット糸を編んでニット地としたものであり、その色柄や編み方は任意に選択される。
【００５７】
ここで、モチーフピース４３Ａ〜４３Ｆは、同じ大きさの同一形状の特定パターンに編まれている。例えば前身頃を構成するモチーフピース４３Ｂは、図１８に示すように、挟角が例えば３０°の二等辺をなす斜辺と、これらの斜辺にそれぞれ直交する二つの底辺と、これらの底辺の間の中央部に位置する山形ないし逆Ｖ字形のノッチ４４とを有する左右対称形の特定パターンに編まれている。換言すれば、先端角が例えば３０°の矢じり形であって、基端部の中央部に山形ないし逆Ｖ字形のノッチ４４を有する特定パターンに編まれている。
【００５８】
これらのモチーフピース４３Ａ〜４３Ｆは、図１６に示す展開形状をなすように交互に逆向きに配置されて相互に縫いつながれている。ここで、前身頃を構成する一方のモチーフピース４３Ｂには、その斜辺に沿って例えば６個のボタンホールＨが開けられており、前身頃を構成する他方のモチーフピース４３Ａには、その斜辺に沿って例えば６個のボタンＢが縫い止められている。
【００５９】
また、襟ぐり４１を構成するモチーフピース４３Ｅ，４３Ｆには、そのノッチ４４の片側付近にそれぞれボタンホールＨが開けられており、このボタンホールＨにそれぞれ掛け止められるボタンＢがモチーフピース４３Ｅ，４３Ｆのノッチ４４の反対側付近の裏面にそれぞれ縫い止められている（図１５参照）。
【００６０】
以上のように構成された第４実施形態のニットウェア４０は、前身頃を構成する一方のモチーフピース４３Ｂに開けられた６個のボタンホールＨに、前身頃を構成する他方のモチーフピース４３Ａに縫い止められた例えば６個のボタンＢがそれぞれ掛け止められ、かつ、襟ぐり４１を構成するモチーフピース４３Ｅ，４３Ｆに開けられた各ボタンホールＨに、それぞれ対応するボタンＢが掛け止められることで、図１５に示すようなベストとして着用される。
【００６１】
このような第４実施形態のニットウェア４０は、特定パターンに編まれる複数のモチーフピース４３Ａ〜４３Ｆをニットピースとして備えており、これらのモチーフピース４３Ａ〜４３Ｆが同じ大きさの同一形状であるため、量産性がある。
【００６２】
しかも、各モチーフピース４３Ａ〜４３Ｆは、挟角が例えば３０°の二等辺をなす斜辺と、これらの斜辺にそれぞれ直交する二つの底辺と、これらの底辺の間の中央部に位置する山形ないし逆Ｖ字形のノッチ４４とを有する左右対称形の特定パターン、換言すれば、先端角が例えば３０°の矢じり形であって、基端部の中央部に山形ないし逆Ｖ字形のノッチ４４を有する特定パターンに編まれているため、デザインが格別に個性的となる。
【００６３】
そして、各モチーフピース４３Ａ〜４３Ｆが素材、色柄、編み方などの選択性に十分対応可能であるため、デザインの個性化に十分対応可能である。従って、第４実施形態のニットウェア４０は、量産化およびデザインの個性化に十分対応することができる。
＜第４実施形態の変形例＞
【００６４】
図１５に示した第４実施形態のニットウェア４０は、前身頃を構成するモチーフピース４３Ａ，４３Ｂ（図１５参照）のボタンＢおよびボタンホールＨ（図１６参照）を省略し、モチーフピース４３Ａ，４３Ｂが相互に縫いつながれる構成としてもよい。
【００６５】
また、図１６および図１７に示した各モチーフピース４３Ａ〜４３Ｆは、ノッチ４４のないパターンとしてもよい。さらに、矢じり形をなす各モチーフピース４３Ａ〜４３Ｆの頂角は、３０°に限らず適宜の角度に変更可能である。
【００６６】
第４実施形態のニットウェア４０において、相互に逆向きで隣り合うモチーフピース、例えば図１６に示したモチーフピース４３Ｂとモチーフピース４３Ｆとは、図１９に示すように編みつながれていてもよい。
【符号の説明】
【００６７】
１０…ニットウェア
１１…襟ぐり
１１Ａ〜１１Ｄ…ニットピース
１２Ａ，１２Ｂ…袖口
１３Ａ〜１３Ｄ…ニットピース
１４Ａ〜１４Ｌ…モチーフピース
２０…ニットウェア
２１Ａ，２１Ｂ…ニットピース
２３Ａ〜２３Ｎ…ニットピース
２４Ａ〜２４Ｒ…モチーフピース
３０…ニットウェア
３１Ａ，３１Ｂ…ニットピース
３２…袖口
３３，３４…ニットピース
３５，３６…ニットピース
３７Ａ〜３７Ｊ…モチーフピース
４０…ニットウェア
４１…襟ぐり
４２Ａ，４２Ｂ…袖口
４３Ａ〜４３Ｆ…モチーフピース
４４…ノッチ
Ｂ…ボタン
Ｈ…ボタンホール
【図１】
0005496638.tif 000002
【図２】
0005496638.tif 000003
【図３】
0005496638.tif 000004
【図４】
0005496638.tif 000005
【図５】
0005496638.tif 000006
【図６】
0005496638.tif 000007
【図７】
0005496638.tif 000008
【図８】
0005496638.tif 000009
【図９】
0005496638.tif 000010
【図１０】
0005496638.tif 000011
【図１１】
0005496638.tif 000012
【図１２】
0005496638.tif 000013
【図１３】
0005496638.tif 000014
【図１４】
0005496638.tif 000015
【図１５】
0005496638.tif 000016
【図１６】
0005496638.tif 000017
【図１７】
0005496638.tif 000018
【図１８】
0005496638.tif 000019
【図１９】
0005496638.tif 000020